(57)【要約】【課題】          単に物理的な抵抗力のみによって家具の転倒を防止するのではなく、耐震性と制震性の２つの性能を１つの用具で実現することによって、規模の大きい地震が発生した際にも家具の転倒防止効果を良好に発揮させることができる家具転倒防止用具を提供する。【解決手段】  上底面と下底面とが直立方向に対し実質的に水平である発泡樹脂成形体から家具転倒防止用具を構成する。【選択図】図１
0003137203.tif 000002
【実用新案登録請求の範囲】
【請求項１】
発泡樹脂成形体から構成され、上底面と下底面とが直立方向に対し実質的に水平であることを特徴とする家具転倒防止用具。
【請求項２】
上記発泡樹脂成形体の直立方向に水平な任意の厚みの層が、他の部分よりも発泡倍率が大きい圧縮変形層であることを特徴とする請求項１に記載の家具転倒防止用具。
【請求項３】
直立方向に水平な断面の略中心において連通する穴部を有する発泡樹脂成形体本体と、上記穴部に嵌合する発泡樹脂製の嵌合部材とからなり、上記嵌合部材の長軸方向の長さが上記発泡樹脂成形体本体の直立方向の長さ以上であることを特徴とする請求項１に記載の家具転倒防止用具。
【請求項４】
上記穴部に、上記嵌合部材の上面が該発泡樹脂成形体の上面から突出した状態で嵌合されており、且つ、該嵌合部材の下面を発泡樹脂成形体の下面よりも高く位置させることによって発泡樹脂成形体本体内部に該嵌合部材の下面と上記穴部側面の一部とから構成される高さ調整スペースが形成されており、上記高さ調整スペースに高さ調整部材が充填されていることを特徴とする請求項３に記載の家具転倒防止用具。
【請求項５】
上記発泡樹脂成形体の外側面の少なくとも一部、あるいは上記発泡樹脂成形体本体の外側面の少なくとも一部に化粧シートが積層されていることを特徴とする請求項１乃至請求項４のいずれか１項に記載の家具転倒防止用具。
【考案の詳細な説明】
【技術分野】
【０００１】
本考案は、家具の転倒防止用具に関し、より詳しくは、家具の上面と天井との間に設置される用具であって、地震などの震動が発生した際に、該家具の転倒を防止し、且つ上記震動の一部を吸収可能である家具転倒防止用具に関する。
【背景技術】
【０００２】
箪笥、本棚、あるいは食器棚などの床面に設置される家具であって、ある程度の背の高さを有する家具は、地震などの震動によって、転倒しやすく危険である。そのため、これらの家具の転倒を防止するための用具が種々開発されている。
【０００３】
例えば、支柱と、天井面と接する端面と、家具上面と接する端面とから構成される押圧固定具が知られる（例えば下記特許文献１）。該押圧固定具は、天井と家具上面間とにおいて、支柱の長さを調整し、一方の端面を天井面に押し当て、他方の端面を家具上面に押し当てて固定して設置される、所謂、突っ張り棒式のタイプものである。
【０００４】
また別の転倒防止用具としては、チェーンやロープなどを用いて、その一端を金具などにより天井面あるいは壁面と結合して固定し、もう一端を金具などで家具側面に結合して該家具の転倒を防止するタイプのものが知られる（例えば下記特許文献２）。
【０００５】
【特許文献１】特開平８−２２８８６９号公報
【特許文献２】特開平８−２２８８７１号公報
【考案の開示】
【考案が解決しようとする課題】
【０００６】
しかしながら上述する従来の家具転倒防止用具は、いずれも、圧力や張力などの物理的抵抗力によってのみ家具の転倒を防止するという技術的思想のものに提案されているもので、それぞれに問題点を有していた。
【０００７】
即ち、特許文献１に例示される突っ張り棒式のタイプのものは、比較的小さい規模の地震が発生した場合には転倒防止の有効な効力を発揮するが、規模の大きい地震になると、横揺れなどの拍子に直立の姿勢で固定されていた支柱が、天井及び家具上面間からはずれてしまい、転倒防止の役割を果たさない場合があった。また強い縦揺れを受けて、支柱の端面が、天井あるいは家具上面を突き破ってしまう場合もあった。
また支柱は、その両端面を天井及び家具上面に相当の圧力で押し付けて直立姿勢で固定されるので、該天井面及び家具上面を傷つけてしまう場合があった。
【０００８】
また特許文献２に例示されるチェーンやロープなどで天井（あるいは壁面）と家具とを引っ張り合うタイプのものも、上記突っ張り棒タイプのものと同様に、比較的小さい規模の地震が発生した場合には転倒防止の有効な効力を発揮するが、地震の規模が大きくなると、金具で固定されている部分が、天井(あるいは壁面)、または家具面から容易に引き抜かれてしまい転倒防止の効果が発揮されない場合があった。
加えて、上記タイプのものはその設置に際し、金具によってチェーンやロープの端部を天井（あるいは壁面）及び家具上面に固定するため、必ず取り付け箇所に傷がついてしまうという問題点を有していた。
【０００９】
本考案は、上記問題点を鑑みなされたものであって、震度の大きい地震が発生した場合であっても充分に家具の転倒防止効果を発揮し、且つ、取り付けに際して天井や家具を傷つけることがない家具転倒防止用具を提供することを目的とするものである。
【課題を解決するための手段】
【００１０】
本考案は、単に物理的な抵抗力のみによって家具の転倒を防止するのではなく、耐震性と制震性の２つの性能を１つの用具で実現することによって、規模の大きい地震が発生した際にも家具の転倒防止効果を良好に発揮させることができるという技術的思想に基づき、発泡樹脂成形体よりなる家具転倒防止用具を完成したものである。
【００１１】
即ち、本考案は、
（１）発泡樹脂成形体から構成され、上底面と下底面とが直立方向に対し実質的に水平であることを特徴とする家具転倒防止用具、
（２）上記発泡樹脂成形体の直立方向に水平な任意の厚みの層が、他の部分よりも発泡倍率が大きい圧縮変形層であることを特徴とする上記（１）に記載の家具転倒防止用具、
（３）直立方向に水平な断面の略中心において連通する穴部を有する発泡樹脂成形体本体と、上記穴部に嵌合する発泡樹脂製の嵌合部材とからなり、上記嵌合部材の長軸方向の長さが上記発泡樹脂成形体本体の直立方向の長さ以上であることを特徴とする上記（１）に記載の家具転倒防止用具、
（４）上記穴部に、上記嵌合部材の上面が該発泡樹脂成形体の上面から突出した状態で嵌合されており、且つ、該嵌合部材の下面を発泡樹脂成形体の下面よりも高く位置させることによって発泡樹脂成形体本体内部に該嵌合部材の下面と上記穴部側面の一部とから構成される高さ調整スペースが形成されており、上記高さ調整スペースに高さ調整部材が充填されていることを特徴とする上記（３）に記載の家具転倒防止用具、
（５）上記発泡樹脂成形体の外側面の少なくとも一部、あるいは上記発泡樹脂成形体本体の外側面の少なくとも一部に化粧シートが積層されていることを特徴とする上記（１）乃至上記（４）のいずれか１つに記載の家具転倒防止用具、
を要旨とするものである。
【００１２】
本考案において「上底面」というときは、本考案を水平面に設置させた際に、最上面に位置する部分をいう。即ち、発泡樹脂成形体のみからなる本考案では該発泡樹脂成形体の上面を意味し、発泡樹脂成形体本体の穴部に嵌合部材が嵌合される本考案では、発泡樹脂成形体本体の上面と嵌合部材の上面とが同じ高さに位置する場合には、両上面を合わせて上底面といい、また発泡樹脂成形体の上面より嵌合部材の上面が突出した状態で嵌合されている場合には、嵌合部材の上面を上底面という。
【００１３】
また本考案において「下底面」というときは、本考案を水平面に設置させた際に、最下面に位置する部分をいう。即ち、発泡樹脂成形体のみからなる本考案では該発泡樹脂成形体の下面を意味し、発泡樹脂成形体本体の穴部に嵌合部材が嵌合される本考案では、発泡樹脂成形体本体の下面と嵌合部材の下面とが同じ高さに位置する場合には、両下面を合わせて下底面といい、また発泡樹脂成形体の下面より嵌合部材の下面が高い位置にあって、これにより生じる高さ調整スペースに高さ調整部材が充填されている場合には、発泡樹脂成形体本体の下面と、高さ調整部材の下面とをあわせて下底面という。
【００１４】
尚、本考案において「上面」あるいは「下面」という場合には、本考案の家具転倒防止用具を水平面に設置した際に、上側に位置する面を上面、下側に位置する面を下面という。
【考案の効果】
【００１５】
本考案の家具転倒防止用具は、主として発泡樹脂成形体により構成されている。この発泡樹脂成形体よりなる本考案を天井と家具上面との間に挟み込ませることによって、本考案が物理的障害となって、地震発生時において家具が転倒することを防止するとともに、震動の発生によって本考案にかかる外圧の一部を、発泡樹脂成形体に吸収させて低減させることができる。即ち、本考案の家具転倒防止用具では、地震時に耐震性及び制震性の両方が発揮され、その結果、優れた転倒防止効果を発揮する。
【００１６】
また本考案は、発泡樹脂成形体を天井と家具上面との間に挟み込むだけで設置することができるので、天井面や家具上面を傷つけることがない上、取り付け作業が容易である。
【００１７】
さらに上述する従来の転倒防止用具は、支柱やチェーンなどが家具上面などにおいて室内の装飾とは無秩序に存在するため、いずれも外観が悪く、室内装飾の観点からも改善が望まれていたところ、本考案は外観が良好であり、特に側面の少なくとも一部に化粧シートを積層した本考案では、より一層、外観が良好であり、室内装飾との調和が可能である。
【００１８】
また上記化粧シートを本考案の発泡樹脂成形体の側面に積層することは、美感の向上効果に留まらない。本考案の家具転倒防止用具を輸送中に本考案と他の物体とが衝突した際、あるいは天井と家具との間に本考案を設置後、地震発生時において、他の物が本考案の側面にぶつかった際など、本考案における発泡樹脂成形体の側面に物理的な衝撃が与えられた場合であっても、上記化粧シートの存在により、その衝撃が緩和され発泡樹脂成形体の側面が保護されるのである。その結果、上記物理的な衝撃に由来する発泡樹脂成形体の欠損を良好に防止することができるのである。
【００１９】
またさらに、化粧シートを本考案の発泡樹脂成形体の側面に積層することにより以下に述べるさらなる効果が発揮される。即ち、天井と家具上面との間に設置された本考案が、地震発生時、天井面と家具上面との間において軸方向に圧力を受けた際に、発泡樹脂成形体の側面に化粧シートが積層されていれば、軸方向に対し直角方向の横ひずみを小さく抑え、上記発泡樹脂成形体の破壊を防止するという効果が発揮される。尚、上述する物理的衝撃からの保護効果、上記横ひずみを小さく抑える効果は、化粧シートが発泡樹脂成形体の側面略全周に積層される場合に、特に良好に発揮される。
【考案を実施するための最良の形態】
【００２０】
以下に図面を用いて、本考案の最良の形態について説明する。
図１は、本考案の一実施態様を示す家具転倒防止用具１の斜視図である。家具転倒防止用具１は、発泡樹脂成形体を用い、その上底面４（即ち、発泡樹脂成形体の上面）及び下底面５（即ち、発泡樹脂成形体の下面）が、家具転倒防用具１の直立方向に水平になるよう形成されている。このように本考案では、上底面４と下底面５とが水平に形成されていることによって、天井と家具上面との間に均等に挟み込むことができ、且つ、本考案を安定した状態で設置することができる。
また家具転倒用防止用具１の外側面全周に化粧シート６が積層されている
【００２１】
家具転倒防止用具１は、図２に例示するように、種々の実施態様で成形することができる。例えば、図２（２Ａ）に示すように、家具転倒防止用具１全体を、同種の発泡樹脂で成形した本体２及び化粧シート６のみで構成することができる。本実施態様を採用する家具転倒防止用具１では、使用場所である天井と家具上面との距離と略同等の高さに成形されていることが必要である。これによって、高さ調整作業を行うことなく、天井と家具上面との間に、本考案を挟み込むことができる。
【００２２】
また別の実施態様としては、図２（２Ｂ）に例示するように、家具転倒防止装置１を、本体２とその上面に設けられる圧縮変形層３と化粧シート６とから構成することができる。圧縮変形層３は、本体２よりも発泡倍率が高く、したがって本体２よりも柔軟性を有している。圧縮変形層３を備える本考案は、使用場所である天井と家具上面との距離よりも、上底面４から下底面５の長さを任意に大きく設計される。そして天井と家具上面との間に設置する際に、本考案を上下方向に押しつぶすようにして天井と家具上面と間に挟み込むことによって、上記柔軟性を有する圧縮変形層３を必要な量だけ圧縮せしめ、高さ調整と本考案の設置を同時に行うことができる。
【００２３】
圧縮変形層３を備える本考案は、上述のとおり、使用場所のサイズにちょうど適合するよう本考案を設計する必要がなく、種々の使用場所（種々の天井面と家具上面との距離）に適用可能であるというメリットを有する。しかも設置する際には、上述のとおり使用者が自分で使用場所に挟み込むだけでよいので、高さ調整作業及び設置作業が非常に容易である。
【００２４】
上記圧縮変形層３を備える本考案としては、図２（２Ｂ）に示す態様の他、例えば図２（２Ｃ）に示すように本体２ａと本体２ｂとの間に挟まれるように圧縮変形層３を設けることもできる。また図示はしないが、圧縮変形層３が下底面５側に位置していてもよい。本考案において、圧縮変形層３は、発泡樹脂成形体１の直立方向に水平な任意の厚みの層として形成されていればよく、これによって上下方向に圧縮する部分を確保することができることが重要である。
【００２５】
上記圧縮変形層３の発泡倍率は、用いられる構成樹脂によっても異なるが、３０倍以上６０倍以下であることが好ましく、３５倍以上５５倍以下であることがより好ましく、４０倍以上５０倍以下であることがさらに好ましい。上記好ましい範囲の発泡倍率を示す発泡樹脂成形体では、良好な柔軟性が示され、したがって、圧縮変形層３を上下方向に圧縮させて家具転倒防止装置１の背の高さを調整することができ、しかも本考案の家具転倒防止という効果を損なうことがない。圧縮変形層の発泡倍率は、従来公知の発泡剤を用い、従来公知の方法で適宜調整してよい。
【００２６】
尚、本考案の家具転倒防止効果を損なうことなく、容易に人の手で、使用場所に挟み込むことができるという観点では、圧縮変形層３は、圧縮前の厚みに対し、人間の手で圧縮可能な圧力において、最大１／２程度の厚みに圧縮可能であることが好ましく、最大１／５〜１／１０程度の厚みに圧縮可能であることがより好ましい。
【００２７】
図３は、本考案の他の実施態様を示す家具転倒防止用具１１の斜視図である。家具転倒防止用具１１は、発泡樹脂製の本体１２と発泡樹脂製の嵌合部材１３とを備えて形成されている。本体１２は、その直立方向に水平な断面の略中心において上下方向に連通する穴部１８が形成されている。そして穴部１８の水平方向の断面積と略等しい断面積を有する嵌合部材１５が、その上面が、本体１２の上面から突出した状態で嵌合されている。したがって、本実施態様における家具転倒防止用具１１の上底面１５は、嵌合部材１３の上面と一致する。
また本体１２の外側面には化粧シート１７が積層されており、化粧シート１７の下部周縁の一部には、化粧シート１７から延長してスカート部２０が設けられている。スカート部２０の裏面には接着層２１が設けられており、家具上面に設置された際には接着層２１と該家具上面の一部との接合が予定される。
【００２８】
図４は、図３に示す家具転倒防止用具１１のＹ−Ｙ断面図であり、２つの異なる実施態様をそれぞれ図４（４Ａ）および図４（４Ｂ）として示すものである。
【００２９】
図４（４Ａ）は、本体１２と嵌合部材１３とからなる家具転倒防止用具１１であって、嵌合部材１３の下面が本体１２の下面とが同じ高さに位置し、これら２つの面により本考案の下底面が構成されている。
【００３０】
一方、図４（４Ｂ）は、本体１２と嵌合部材１３と発泡樹脂製の高さ調整部材１４と化粧シート１７とから構成される家具転倒防止用具１１である。本態様の家具転倒防止用具１１では、穴部１８に嵌合される嵌合部材１３の下面は、本体１２の下面より高い位置にあり、嵌合部材１３の下面と穴部１８の側面の一部とによって高さ調整スペース１９が形成されており、ここに高さ調整部材１４が充填されて形成されている。したがって、本態様においては、下底面は、本体１２の下面と高さ調整部材１４の最下面とにより構成されている。
【００３１】
上記高さ調整部材１４としては、穴部１８の水平断面形状と等しい断面形状を有し、且つ厚さが適度に薄い発泡樹脂製の板部材を複数用いている。高さ調整部材１４は、穴部１８を隙間無く埋めること、及び嵌合部材１３と同等程度以上の強度を有することという２つの要素が求められる。上記２つの要素を満たす限りにおいて、本考案における高さ調整部材は、上記発泡樹脂製の板部材に限定されず、木材、非発泡製樹脂成形体、圧縮強度の高いダンボール材など、一定の圧縮強度を示す他の素材を用いることができる。
【００３２】
上述する図４（４Ａ）及び（４Ｂ）の家具転倒用防止用具１１は、嵌合部材１３の上面及び下面の高さを調整することによって、設置場所、即ち天井及び家具上面間において隙間なく設置することが可能である。
【００３３】
本考案を構成する発泡樹脂成形体として用いられる望ましい樹脂発泡体としては、例えば、ポリスチレン系樹脂発泡体、ポリエチレン系樹脂発泡体、ポリプロピレン系樹脂発泡体、ウレタン系樹脂発泡体、塩化ビニル系樹脂発泡体、熱可塑性ポリエステル系樹脂発泡体、ポリカーボネート系樹脂発泡体、ポリアミド系樹脂発泡体、ポリフェニレンエーテル系樹脂発泡体、或いは上述した樹脂の２以上の混合物より成形される発泡体等がある。特に、ポリスチレン系樹脂発泡体、ポリエチレン系樹脂発泡体、及びポリプロピレン系樹脂発泡体並びにこれらの組み合わせは、重量及び強度等の点から好ましい。
【００３４】
上記ポリスチレン系樹脂発泡体としては、具体的には、スチレンの単独重合体樹脂、スチレンと他のモノマーとから製造されたスチレン系共重合体樹脂、スチレンの単独重合体樹脂又は／及びスチレン系共重合体樹脂とスチレン−ブタジエンブロック共重合体との混合物、ゴム状重合体の存在下でスチレン系モノマーを重合することによって得られるゴム変性スチレン系樹脂（耐衝撃性ポリスチレン）、或いは上記したスチレン系の樹脂と他の樹脂又は／及びゴム状重合体との混合物等の、スチレン成分比率が５０重量％以上であるポリスチレン系樹脂或いはポリスチレン系樹脂組成物などを用いて成形された発泡体を用いることができる。
【００３５】
また上記ポリエチレン系樹脂発泡体としては、エチレンの単独重合体樹脂、エチレンと他のモノマーとから製造されたエチレン系共重合体樹脂、エチレンの単独重合体樹脂又は／及びエチレン系共重合体樹脂にスチレン系モノマー等のビニルモノマーを含浸させて重合してなるグラフト変性エチレン系樹脂、或いは上記エチレン系の樹脂と他の樹脂又は／及びゴム状重合体との混合物等の、エチレン成分比率が５０重量％以上であるポリエチレン系樹脂或いはポリエチレン系樹脂組成物などを用いて成形された発泡体を用いることができる。
【００３６】
また上記ポリプロピレン系樹脂発泡体としては、プロピレンの単独重合体樹脂、プロピレンと他のモノマーとから製造されたプロピレン系共重合体樹脂、プロピレンの単独重合体樹脂又は／及びプロピレン系共重合体樹脂にスチレン系モノマー等のビニルモノマーを含浸させて重合してなるグラフト変性プロピレン系樹脂、或いは上記プロピレン系の樹脂と他の樹脂又は／及びゴム状重合体との混合物等の、プロピレン成分比率が５０重量％以上であるポリプロピレン系樹脂或いはポリプロピレン系樹脂組成物などを用いて成形された発泡体を用いることができる。
【００３７】
上記家具転倒防止用具１を構成する発泡樹脂成形体の圧縮強度は、使用場所や、構成樹脂の種類あるいは天井と家具上面との間に挟みこまれる本考案の断面積の総和などによって適宜決定してよいが、一般的には、３ｋＮ／ｍ２以上２０ｋＮ／ｍ２以下であることが好ましい。これによって、地震発生時において家具が転倒することを良好に防止する程度の強度が示されるとともに、該地震により震動の一部を上記発泡成形体において吸収することができる。
【００３８】
本考案の家具転倒防止用具（あるいはその本体）の外周の少なくとも一部に積層される化粧シートには、従来公知の化粧シートを適宜選択して用いることができる。例えば、ビニールクロス、織布、不織不、紙などが挙げられる。上記化粧シートは、本考案を天井と家具上面との間に設置した際に、少なくとも部屋側であって目に触れる面に積層されていることが望ましく、側面全周に積層されていることがより望ましい。このように化粧シートにより装飾された本考案の家具転倒防止装置は、外観が特に優れ、家具上面に設置しても、室内外観を損なうことがない。また上記化粧シートの存在により、本考案を構成する発泡樹脂成形体の側面部分を物理的衝撃から保護し、また本考案を設置した際に軸方向の圧縮力に対して、横歪を小さく抑えることが可能である。
【００３９】
上記化粧シートは、本考案品の上端から下端まで（図２、図３に示すタイプの場合には、本体の上端から下端まで）積層されていることが望ましい。さらには、上端部分及び／または下端部分からさらに延長するスカート部２０を上記化粧シートにもうけ、且つ、該スカート部分の接着層２１などを設けておき、本考案品を天井と家具上面との間に設置した際に、該スカート部分を天井面及び／または家具上面部分に接着することにより、天井と家具上面との間に設置される本考案の固定をより強固にすることができる。尚、接着層２１は、スカート部２０の裏面に両面テープを設け、あるいは接着剤を塗布するなど、従来公知の方法により形成することができる。
【００４０】
（本考案の高さ調整方法について）
以下に、本体１２と嵌合部材１３とを備える態様の本考案の使用方法について説明する。
家具転倒防止用具１１の基本構造は、図４（４Ａ）に示す本体１２と嵌合部材１３とからなる態様である。図４（４Ａ）において上底面１５から下底面１６までの長さ寸法をＡｃｍとし、設置場所である天井と家具上面との間の距離をＢｃｍとしたとき、Ａ≒Ｂであれば、家具転倒用防止用具１１をそのまま上記設置場所に挟み込めばよい（高さ調整方法１）。
Ａ＞Ｂの場合には、嵌合部材１３の一端をカットしてＡ≒Ｂとなるようその長さ寸法を調整し、その後、上記設置場所に挟み込めばよい（高さ調整方法２）。
またＡ＜Ｂの場合には、嵌合部材１３を上方向にスライドさせて図４（４Ｂ）に示すように高さ調整スペース１９を設ける。スライドさせる量は、上底面１５と本体１２の下面との距離をＣｃｍとしたときにＣ≒Ｂとなることが目安である。次いで、高さ調整スペース１９に高さ調整部材１４を充填し、高さ調整部材１４の最下面と本体１２の下面とにより下底面１６が構成された状態で、上記設置場所に挟み込めばよい（高さ調整方法３）。
【００４１】
尚、図示しないが、嵌合部材の上面から下面までの長さ寸法が、本体１２の直立方向の長さ寸法と等しい本考案では、上記高さ調整方法２は適用されないが、高さ調整方法１及び３の使用方法の範囲内において、実施可能である。
【００４２】
(本考案の成形方法について)
本考案に用いられる発泡樹脂成形体は、従来公知の発泡樹脂成形体の製造方法を適宜選択して成形することができ、例えば、所望の形状に形成された容器にビーズ状の発泡粒子を充填し加熱して該発泡粒子同士を融着させる所謂型内発泡により、所望の形状の発泡樹脂ブロックとして形成することができる。
【００４３】
図２（２Ｂ）あるいは（２Ｃ）に示すように、圧縮変形層を備える本考案では、発泡倍率の異なる圧縮変形層３と、本体２（２ａ、２ｂ）とを別々に発泡樹脂ブロックとして、成形し、次いで、公知の一般的な接着方法、例えば、接着剤を接合面に塗布して両者を一体化させるか、両面テープにより両者の接合面を接着させるか、あるいは両者を接合面において重ね合わせ、外周面に接着テープを施して一体化させるか、あるいは熱融着方法により一体化することなどにより上記別々に成形された発泡樹脂ブロックを一体的に形成することができる。尚、上述する圧縮変形層３と本体２との接合方法は、あくまでも例示にすぎず、さらなる他の方法により接合されるものを本考案から除外する趣旨ではない。
【００４４】
また図３に示す穴部１８が形成された本体１２は、まず発泡樹脂成形体ブロックを成形し、次いで、穴部１８を形成するために、熱歯などで筒状の穴部１８をくりぬく（穴部形成方法１）か、あるいは本体１２の一部側面から熱歯を用いて穴部１８輪郭予定部分まで本体の側面を切断し、到達した地点から穴部１８の輪郭予定部分にそって発泡樹脂成形体を切断しくりぬいてもよい（穴部形成方法２）。上記穴部形成方法１において、本体１２の切断された側面部分は、接着剤により閉じる手段、側面切断部分をテープなどで張り合わせて補強する手段、あるいは本体全周に化粧シートを積層して切断された側面部分を補強する手段、あるいはこれらの手段の組合せによって該切断された側面部分を補うことができる。
また穴部１８を有する本体１２の成形方法の別の例としては、本体１２を成形する際に、穴部１８を有する形状の成形用型を使用し、穴部１８を有する発泡樹脂成形体を型内発泡により成形してもよい。
【００４５】
上記本体１２を成形する方法において、穴部１８を成形するために、本体をくりぬいた場合には、くりぬかれた部分を嵌合部材１３として使用することができる。嵌合部材１３の長軸方向の長さを、発泡樹脂成形体本体の直立方向の長さより大きく成形したい場合には、上記くりぬかれた部分にさらに所望の長さだけ、同径の発泡樹脂成形体を接合せしめて伸長させてもよい。
また嵌合部分１３として、別途、型内成形などにより穴部１８と略同等の断面積を有し、且つ所望の長さの発泡樹脂成形体を成形し、これを使用することもできる。
【００４６】
（本考案の使用例について）
図５（５Ａ）は、家具上面４２において、家具正面向かって両端に本考案の家具転倒防止用具１１を設置した使用例を示す正面図である。２つの家具転倒防止用具１１は、それぞれ、上底面が天井面４４に密接し、下底面が家具上面４２に密接した状態で設置されている。上記２つの家具転倒用防止装置１１は、いずれも家具上面４２の隅であって、家具４１の垂直方向の枠組みの上部を覆って設置されている。そして、スカート部２０が家具上面４２に接着され、家具転倒防止用具１１の設置をより安定なものとしている。
また図５（５Ｂ）は、家具上面４２において、天井板４６の上面に接して設けられている梁４７の下方に２つの家具転倒防止用具１１を設置した使用例を示す側面図である。２つの家具転倒防止用具１１は、それぞれ、上底面が天井面４４に密接し、下底面が家具上面４２に密接した状態で設置されている。そして、スカート部２０が家具上面４２に接着され、家具転倒防止用具１１の設置をより安定なものとしている。
【００４７】
図５（５Ａ）及び（５Ｂ）は、それぞれ本考案の使用例を示すものであって、本考案の使用態様はこれに限定されるものではない。例えば、家具上面と天井との間に１つあるいは2以上の任意の数の本考案を設置することができる。またその設置位置も、家具の枠組み上面に限らず、家具の上面の略中央部分であってもよいし、あるいは不規則に任意の場所を選んで設置してもよい。ただし、図５（５Ａ）に示すように家具上面の隅であって、該家具の枠組部分の上面を覆う位置に設置することによって、大規模な地震が発生した際にも、家具の転倒を良好に防止するとともに、天井、家具上面間において効果的に震動を吸収することができるので望ましい。また図５（５Ｂ）に示すように天井構造を考慮し、梁などの構造材の下方に本考案を設置することによって、家具転倒防止効果及び震動吸収効果だけでなく、天井構造自体の強度も補強することが可能である。
【図面の簡単な説明】
【００４８】
【図１】本考案の家具転倒防止用具の一実施態様を示す斜視図である。
【図２】図１に示す家具転倒防止用具のＸ−Ｘ断面図であって、（２Ａ）乃至（２Ｃ）は、それぞれ本考案の実施態様を例示的に示すものである。
【図３】本考案の家具転倒防止用具の一実施態様を示す斜視図である。
【図４】図３に示す家具転倒防止用具のＹ−Ｙ断面図であって、（４Ａ）及び（４Ｂ）は、それぞれ本考案の実施態様を例示的に示すものである。
【図５】（５Ａ）は、本考案の家具転倒防止装置を家具上面と天井面との間に設置した使用例を示す正面図であり、（５Ｂ）は、本考案の家具転倒防止用具を、家具上面と天井面との間に設置した別の使用例を示す側面図である。
【符号の説明】
【００４９】
１、１１  家具転倒防止用具
２、２ａ、２ｂ、１２  本体
３  圧縮変形層
４、１５  上底面
５、１６  下底面
６、１７  化粧シート
１３  嵌合部材
１４  高さ調整部材
１８  穴部
１９  高さ調整スペース
２０  スカート部
２１  接着層
４１  家具
４２  家具上面
４３  床面
４４  天井面
４５  壁面
４６  天井板
４７  梁
【図１】
0003137203.tif 000003
【図２】
0003137203.tif 000004
【図３】
0003137203.tif 000005
【図４】
0003137203.tif 000006
【図５】
0003137203.tif 000007